(57)【要約】【課題】  前後方向の重量バランス、または、前後方向の重量バランスおよび左右方向の重量バランスを細かく調整可能なパターヘッドを提供すること。【解決手段】  パターヘッド１は、前面がフェース面６であるヘッド本体２の背面７に、この背面７からフェース面６に向かう２つの有底穴１２が設けられ、これらの有底穴１２は、アルミニウム合金製のヘッド本体２よりも比重の大きな鋼球製で５個の錘入子１６およびコイルバネ１７を出し入れ自在に収容するように形成され、錘入子１６およびコイルバネ１７を収容した有底穴１２が蓋部材１５により蓋止された状態で、コイルバネ１７の弾性力により錘入子１６が有底穴１２内の奥底面１４または蓋部材１５に圧接支持されているものである。【選択図】  図４
2007014683.tif 000002
【特許請求の範囲】
【請求項１】
前面がフェイス面であるヘッド本体の背面に、該背面からフェイス面に向かう有底穴が設けられ、該有底穴は、ヘッド本体よりも比重の大きな材料からなる１個以上の錘入子、および弾性部材を出し入れ自在に収容するように形成され、錘入子および弾性部材を収容した有底穴が蓋部材により蓋止された状態で、弾性部材の弾性力により錘入子が有底穴内の奥底面または蓋部材に圧接支持されていることを特徴とするパターヘッド。
【請求項２】
有底穴が、その穴心をスイートスポットラインからずらした位置に配置されている請求項１に記載のパターヘッド。
【請求項３】
有底穴が２以上設けられている請求項１または請求項２に記載のパターヘッド。
【請求項４】
錘入子が球体である請求項１から請求項３のいずれか一項に記載のパターヘッド。
【発明の詳細な説明】
【技術分野】
【０００１】
本発明は、錘体の加減により重量バランスが調整されるゴルフパターのパターヘッドに関するものである。
【背景技術】
【０００２】
従来、この種のパターヘッドとしては、例えば下記の特許文献１に記載されたものが知られている。かかる文献開示のパターヘッドでは、フェース面のスイートスポット点をから後方に延びるスイートスポットライン上に沿って、錘片（文献１中の微調整バランサー）がヘッド本体の上面に取り付けられている。そして、このパターヘッドでは、ヘッド本体の上面に取り付けられる錘片の数や取付位置を変えることにより、パターヘッドの総重量を変更したり、前後方向の重量バランスを変えてパターヘッドの直進性を調整するようになっている。
【０００３】
【特許文献１】特開平１０−１２７８３６号公報
【発明の開示】
【発明が解決しようとする課題】
【０００４】
ところが、上記従来のパターヘッドに用いられる錘片は、比較的大きいために、パターヘッド上面に、広い前後ピッチでしか取り付けられない。そのために、前後の重量バランスを細かく調整する場合は不適である。
一方で、プレーヤ個々にはパッティング動作のクセがあり、パターヘッドの左右の重量バランスがそのプレーヤに合っていない場合は、グリーン上の目標ラインと直角の向きにしたフェース面のスイートスポットで目標ラインの方向にゴルフボールを打つつもりであっても、フェース面が目標ラインと直角からずれた向きになってゴルフボールに当たり、ゴルフボールの打ち出し方向が目標ラインから左右にぶれることがある。
かかる難点はパターヘッドの左右の重量バランスを調整することにより解消されるが、このパターヘッドは、錘片を取り付ける位置がスイートスポットライン上にあるため、前後方向の重量バランスを変えることができても、左右方向（ヒールとトウを結ぶ方向）の重量バランスは変えられなかったのである。
【０００５】
本発明は、上記した従来の問題点に鑑みてなされたものであって、前後方向の重量バランスを細かく調整可能なパターヘッドの提供、更には、前後方向の重量バランスのみならず左右方向の重量バランスも細かく調整可能なパターヘッドの提供を目的とする。
【課題を解決するための手段】
【０００６】
上記目的を達成するために、本発明に係るパターヘッドは、前面がフェース面であるヘッド本体の背面に、該背面からフェース面に向かう有底穴が設けられ、該有底穴は、ヘッド本体よりも比重の大きな材料からなる１個以上の錘入子、および弾性部材を出し入れ自在に収容するように形成され、錘入子および弾性部材を収容した有底穴が蓋部材により蓋止された状態で、弾性部材の弾性力により錘入子が有底穴内の奥底面または蓋部材に圧接支持されているものである。
【０００７】
また、前記構成において、有底穴が、その穴心をスイートスポットラインからずらした位置に配置されているものである。
【０００８】
そして、前記した各構成において、有底穴が２以上設けられているものである。
【０００９】
更に、前記した各構成において、錘入子を球体としたものである。
【発明の効果】
【００１０】
本発明に係るパターヘッドにおいて、使用される錘入子はヘッド本体の有底穴に収容される大きさなので小さくならざるを得ず、従って１個以上収容するときの並びピッチは小さい。その結果、パターヘッドの前後の重量バランスを細かく調整することができる。また、弾性部材の弾性力により錘入子が有底穴内の奥底面または蓋部材に圧接支持されるので、有底穴内で、弾性部材および１個以上の錘入子の配置を自由に変えることができ、錘入子の収容個数も自由に選定できる。これらにより、前後方向の重量バランスを微妙かつ多様に変更することが可能となる。また、錘入子および弾性部材は有底穴内に収容され蓋部材で蓋止されていて外部から見えないために、パターヘッドの見栄えを損なわない。
【００１１】
また、有底穴がその穴心をスイートスポットラインからずらした位置に配置されている場合は、ヒールとトウを結ぶ方向の重量バランスの調整も行なえる。
【００１２】
そして、有底穴が２以上設けられる場合は、必ず、１以上の有底穴がその穴心をスイートスポットラインからずれた位置にして配置されるから、前記と同様、ヒールとトウを結ぶ方向の重量バランスの調整を行なうことができる。加えて、これら複数の有底穴内で錘入子の配置および収容数を変えることにより、より多様な重量バランスの選定ができる。
【００１３】
更に、錘入子として球体を用いる場合は、有底穴への錘入子の出し入れや錘入子収容数の確認が簡単であることから重量バランスの変更を容易に行うことができ、錘入子を安価で容易に入手できる。
【発明を実施するための最良の形態】
【００１４】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るゴルフパターのパターヘッドを左斜め後ろから見た斜視図、図２は前記パターヘッドの正面図、図３は前記パターヘッドの左側面図、図４は図２におけるＡ−Ａ線矢視断面図である。
各図において、この実施形態に係るゴルフパターＰは、パターヘッド１と、パターヘッド１のシャフト取付穴１０に挿し込み固定されたシャフト１１とから成っている。
【００１５】
前記のパターヘッド１は、平面視略Ｔ字状に形成されたアルミニウム合金（比重＝約２．８）製の前部本体３と、前部本体３の後端凸部が嵌着される凹陥部５を有して平面視略Ｃ字状に形成されたアルミニウム合金（比重＝約２．８）製の後部本体４とから成るヘッド本体２を備えている。ヘッド本体２の背面７の左右方向中央部には、後部本体４を前向きに貫通して前部本体３に達する雌ネジ穴８が形成されている。この雌ネジ穴８にボルト９が螺着されることにより、前部本体３と後部本体４が一体に固定される。
前部本体３の前面はゴルフボール１９を打つためのフェース面６となっている。そして、打球してもヘッド本体２の向きが変わらないフェース面６上のスイートスポット点上を通って後方に伸びるスイートスポットラインＣが、例えば雌ネジ穴８の穴心に沿って設定されている。前部本体３の上面には、スイートスポットラインＣの目安となるラインマーク１８が刻設されている。無論、スイートスポットラインＣを雌ネジ穴８の穴心から外して設定しても構わない。
【００１６】
後部本体４の背面７には、この背面７からフェース面６に向かう２つの有底穴１２，１２が設けられている。有底穴１２，１２はこれらの穴心がスイートスポットラインＣからその左右両側にずれた位置にそれぞれ配置されている。有底穴１２，１２の内周面は後部本体４および前部本体３にまたがる穴全域にわたって雌ネジ部が形成されている。各有底穴１２には、５個の錘入子１６，１６，１６，１６，１６およびコイルバネ１７（弾性部材の例）が出し入れ自在に収容される。錘入子１６はヘッド本体２よりも比重の大きな鋼球で構成されており、例えば１個５ｇの重さに設定されている。そして、外周面に雄ネジ部を有する蓋部材１５を有底穴１２の開口部１３に装着し、更に六角レンチを用いて蓋部材１５を有底穴１２内で螺進させ錘入子１６，１６，１６，１６，１６およびコイルバネ１７を有底穴１２内に閉じ込めるようになっている。
【００１７】
この例では、有底穴１２内に先ず錘入子１６，１６，１６，１６，１６が収容されて奥底面１４まで装入され、次いでコイルバネ１７が収容され、これらが蓋部材１５で押さえつけられて閉じ込められる。このとき、コイルバネ１７の弾性力により、先頭の錘入子１６が有底穴１２の奥底面１４に圧接し、最後尾の錘入子１６がコイルバネ１７の一端部に圧接し、コイルバネ１７の他端部が蓋部材１５の前面に圧接している。この場合、コイルバネ１７の弾性力は錘入子１６，１６，１６，１６，１６が打球時の衝撃力を受けても有底穴１２内で移動することのない程度に設定されている。
【００１８】
ヘッド本体２のヒール３Ａとトウ３Ｂを結ぶ左右方向の重量バランスがそのプレーヤのクセに合っていないゴルフパターＰを用いた場合、フェース面６をグリーン上の目標ラインと直角の向きにしてパターヘッド１をセットし、フェース面６のスイートスポットで目標ラインの方向にゴルフボール１９を打つつもりであっても（図４中の矢印２０方向）、パターヘッド１の慣性力によりフェース面６が目標ラインと直角方向からずれた向きとなってゴルフボール１９に当たり、ゴルフボール１９は目標ラインからずれて転がっていく。
【００１９】
そこで、例えばゴルフボール１９を目標ラインよりも左方向に打ち出すクセ、いわゆるフックグセの抜けないプレーヤの場合は、ヒール３Ａ寄りの有底穴１２に収容する錘入子１６の数を適宜増やすか、あるいはトウ３Ｂ寄りの有底穴１２に収容した錘入子１６の数を適宜減らす。これにより、打球直前にパターヘッド１のヒール３Ａ側の慣性力が高まり、フェース面６が目標ラインと直角の方向に近づいた状態となってゴルフボール１９に当たり、ゴルフボール１９が目標ラインに沿って転がっていくのである。逆に、ゴルフボール１９を目標ラインよりも右方向に打ち出すクセの抜けないプレーヤの場合は、トウ３Ｂ寄りの有底穴１２に収容する錘入子１６の数を適宜増やすか、あるいはヒール３Ａ寄りの有底穴１２に収容した錘入子１６の数を適宜減らすとよい。
【００２０】
以上のように、本実施形態のパターヘッド１によれば、有底穴１２内で、コイルバネ１７および錘入子１６の配置を自由に変えることができ、錘入子１６の収容個数も自由に選定可能である。かかる例の一部を図５の（ａ）、（ｂ）、（ｃ）に３つ開示しておくが、コイルバネ１７および錘入子１６の配置および収容数の組合せパターンは多数あり、その数だけパターヘッド１の重量バランスの数が存在する。各図（ａ）、（ｂ）、（ｃ）には、錘入子１６がコイルバネ１７の弾性力により蓋部材１５の前面に圧接して支持された形態、コイルバネ１７が有底穴１２の奥底面１４に接した形態、あるいは錘入子１６，１６間にコイルバネ１７を介装した形態も示してある。
【００２１】
そして、２つの有底穴１２，１２は各穴心がスイートスポットラインＣからずれた位置に配置されているので、前後方向（フェース面６と背面７を結ぶ方向）の重量バランスはもとより、左右方向（ヒール３Ａとトウ３Ｂを結ぶ方向）の重量バランスを変更することができる。これにより、打球の正確な方向性を高めることができる。また、錘入子１６およびコイルバネ１７は有底穴１２内に収容され蓋部材１５で蓋止されているので、外部からは見えないためにパターヘッド１の見栄えを損なうことがない。また、錘入子１６が球体であるので、有底穴１２への錘入子１６の出し入れや錘入子１６の収容数の確認が簡単であり、安価で容易に入手できる。
【００２２】
尚、上記の実施形態では、錘入子として球体を使用したが、本発明はそれに限定されるものでなく、図６（ａ）に示すように円柱状に形成された錘入子１６ａや、図６（ｂ）に示すように長方体状に形成された錘入子１６ｂ、あるいは、その他の外形状に形成されたものを用いることも可能である。
各実施形態の錘入子１６，１６ａ，１６ｂにおいて、ヘッド本体２よりも比重の大きな材料としては、鉛（比重＝約１１．３７）、ステンレス鋼（比重＝約７．８）、銅（比重＝８．９６）、タングステン合金（比重＝約１４〜１５）、金（比重＝１９．２）、銀（比重＝１０．５）が挙げられる。また、有底穴に収容可能な錘入子の総数、錘入子１個あたりの重さなどは自由に設定してよい。
あるいは、比重の異なる錘入子、例えば鋼球と鉛球を同時に併用することにより、更に多様な重量バランスの設定ができる。例えば、図１〜図４のように左右の有底穴に同じ個数（例えば、５個ずつ）の錘入子を収容する場合であっても、鋼球と鉛球の配置を変えることにより重量バランスの設定が可能となる。
【００２３】
そして、ヘッド本体の背面からフェース面に向けて設けられる有底穴は１つでもよいし、３つ以上であっても構わない。更に、本発明に用いる弾性部材としては、コイルバネに替えて、ゴム状体や軟質合成樹脂などを使用しても構わない。また、１つの有底穴に収容される弾性部材の数は２以上であってよい。
上記ではヘッド本体を成す前部本体３と後部本体４を別部品としたが、これら前部本体３と後部本体４に相当する部分を一体に形成したヘッド本体を用いることも可能である。
【図面の簡単な説明】
【００２４】
【図１】本発明の一実施形態に係るゴルフパターのパターヘッドを左斜め後ろから見た斜視図である。
【図２】前記パターヘッドの正面図である。
【図３】前記パターヘッドの左側面図である。
【図４】図２におけるＡ−Ａ線矢視断面図である。
【図５】（ａ），（ｂ），（ｃ）は図４に対応してそれぞれ有底穴への錘入子およびコイルバネの収容態様を示す説明図である。
【図６】（ａ），（ｂ）はそれぞれ錘入子の別例を示す斜視図である。
【符号の説明】
【００２５】
１    パターヘッド
２    ヘッド本体
６    フェース面
７    背面
１２  有底穴
１４  奥底面
１５  蓋部材
１６，１６ａ，１６ｂ  錘入子
１７  コイルバネ（弾性部材）
Ｃ    スイートスポットライン
【図１】
2007014683.tif 000003
【図２】
2007014683.tif 000004
【図３】
2007014683.tif 000005
【図４】
2007014683.tif 000006
【図５】
2007014683.tif 000007
【図６】
2007014683.tif 000008